(57)【要約】【課題】操向レバーを支持する手の支持台としても、本来の固定ハンドルとしても使用しやすい固定ハンドルを備えた作業機の運転部構造を提供する。【解決手段】バー形の固定ハンドル１６を、一端側が操向レバー１４の手前近くに位置する配置で備えてある。固定ハンドル１６の一端側における機体前後方向幅Ｗ１を、他端側における機体前後方向幅Ｗ２より大にしてある。【選択図】　　　　図２
2004033056.tif 000002
【特許請求の範囲】
【請求項１】
機体操向操作のための揺動操作自在な操向レバーを備えてある作業機の運転部構造であって、
機体横向きのバー形の固定ハンドルを、一端側における機体前後方向幅が他端側における機体前後方向幅より大であるように構成して、一端側が前記操向レバーの手前側近くに位置する配置で備えてある作業機の運転部構造。
【請求項２】
前記固定ハンドルの機体前方向きの側面を固定ハンドル長手方向での途中で機体前後方向に位置ずれした段付き面に、前記固定ハンドルの機体後方向きの側面を固定ハンドル全長にわたって滑らかに連なる滑らか面にそれぞれ形成することにより、固定ハンドルに前記機体前後方向幅差を備えさせてある請求項１記載の作業機の運転部構造。
【請求項３】
前記固定ハンドルの機体後方向きの側面を、平面視で機体前方側に凹入した湾曲面にしてある請求項１又は２記載の作業機の運転部構造。
【発明の詳細な説明】
【０００１】
【発明の属する技術分野】
本発明は、機体操向操作のための揺動操作自在な操向レバーを備えてある作業機の運転部構造に関する。
【０００２】
【従来の技術】
上記作業機において、従来、運転部に機体横向きのバー形の固定ハンドルを設けるとともに、この固定ハンドルの一端側が前記操向レバーの手前側に配置され、操向レバーを支持する手の手首付近を固定ハンドルに載せることにより、機体の揺れ動きなどに起因して身体が揺れ動いても、その影響で操向レバーを動かしてしまうことを回避しやすくしながら操縦することが可能になったものがあった。
この種の作業機にあっては、従来、全長にわたって機体前後方向幅が同一の固定ハンドルを採用しているものであり、次の如き問題があった。
【０００３】
【発明が解決しようとする課題】
すなわち、操向レバーを支持する手を載置しようとしても、固定ハンドルの機体前後方向幅が狭くて載せにくいか、あるいは、固定ハンドルを本来のハンドルとして使用しようとしても、固定ハンドルの機体前後方向幅が広くて握りにくいという問題があった。
【０００４】
本発明の目的は、固定ハンドルを手の載置台としても本来の固定ハンドルとしても使用しやすい作業機の運転部構造を提供することにある。
【０００５】
【課題を解決するための手段】
請求項１による発明の構成、作用、効果はつぎのとおりである。
【０００６】
〔構成〕
機体操向操作のための揺動操作自在な操向レバーを備えてある作業機の運転部構造において、機体横向きのバー形の固定ハンドルを、一端側における機体前後方向幅が他端側における機体前後方向幅より大であるように構成して、一端側が前記操向レバーの手前側近くに位置する配置で備えてある。
【０００７】
〔作用〕
操向レバーを支持する手の載置台として使用される固定ハンドルの一端側における機体前後方向幅が他端側における機体前後方向幅より大であるものだから、手の載置台として使用する際は、機体前後方向幅が大きい部分を使用して手を楽に載置でき、固定ハンドルを本来のハンドルとして使用する際には、他端側を握ることにより、この他端側の機体前後方向幅が一端側より小さいことから楽に握ることができる。
【０００８】
〔効果〕
従って、固定ハンドルを使用する際には固定ハンドルの他端側を容易に握って使用しやすいものになり、しかも、操向レバーを支持する手の載置台に固定ハンドルを使用して操向レバーを安定的に支持するに当たり、手を固定ハンドルに楽に載せて快適に操縦できるものになった。
【０００９】
請求項２による発明の構成、作用、効果はつぎのとおりである。
【００１０】
〔構成〕
請求項１による発明の構成において、前記固定ハンドルの機体前方向きの側面を固定ハンドル長手方向での途中で機体前後方向に位置ずれした段付き面に、前記固定ハンドルの機体後方向きの側面を固定ハンドル全長にわたって滑らかに連なる滑らか面にそれぞれ形成することにより、固定ハンドルに前記機体前後方向幅差を備えさせてある。
【００１１】
〔作用〕
固定ハンドルの機体前方向き側面を前記段付き面に、機体後方向き側面を前記滑らか面にそれぞれして固定ハンドルに前記機体前後方向幅を備えさせてあるものだから、運転部から前方下方を見通しながら作業するなどの際、身体を固定ハンドルの滑らか面に当てて上半身を楽に突き出すことができる。
【００１２】
〔効果〕
従って、固定ハンドルが前記幅差を備えるものでありながら、前方下方を見通すなどの際、上半身を前方に楽に突き出して作業しやすいものになる。
【００１３】
請求項３による発明の構成、作用、効果はつぎのとおりである。
【００１４】
〔構成〕
請求項１又は２による発明の構成において、前記固定ハンドルの機体後方向きの側面を、平面視で機体前方側に凹入した湾曲面にしてある。
【００１５】
〔作用〕
運転部から前方下方を見通しながら作業するなどの際、身体を固定ハンドルの湾曲面に当てて上半身をより楽に突き出すことができる。
【００１６】
〔効果〕
従って、固定ハンドルが前記幅差を備えるものでありながら、前方下方を見通すなどの際、上半身を前方により楽に突き出して作業しやすいものになる。
【００１７】
【発明の実施の形態】
図１に示すように、左右一対のクローラ式走行装置１によって自走し、運転座席１１が装備されている搭乗型運転部１０、運転座席１１の下方に位置するエンジン３が装備されている原動部を備えている機体の機体フレーム４の運転部の横側に、植立穀稈に作用する引起装置５ａ及び刈取装置５ｂが装備されている刈取り部５を昇降操作自在に連結するとともに、刈取り部５の穀稈搬送装置５ｃからの刈取穀稈を脱穀処理する脱穀装置６、この脱穀装置６からの穀粒を回収する穀粒タンク７を前記機体フレーム４に搭載して、稲・麦などを収穫するようにコンバインを構成してある。
【００１８】
図２などに示すように、運転部１０の運転座席１１の前方に、運転部デッキ１２の前端部に立設してある操縦パネル１３、この操縦パネル１３の上部の横一端側に設けてある操向レバー１４、操縦パネル１３の上部に立設の左右一対の支柱１５の上端部どうしにわたって連結して操縦パネル１３に固定されているとともに一端側が前記操向レバー１４の手前側近くに位置した配置になっている機体横向きのバー形の固定ハンドル１６を設けてある。
【００１９】
操向レバー１４は、機体横方向に揺動操作できるように支持させてあり、かつ、エンジン３の駆動力を左右の走行装置１に伝達する変速装置（図示せず）に対してこれの変速制御を行なうように連係させてある。
【００２０】
図２、図３などに示すように、固定ハンドル１６の機体前方向きの側面１６ａが、固定ハンドル長手方向での途中に位置する段付き部ａを備えていて、この段付き部ａのために操向レバー１４に対して近い側が遠い側より機体前方側に位置した状態に機体前後方向に位置ずれしている段付き面になり、固定ハンドル１６の機体後方向きの側面１６ｂが、固定ハンドル全長にわたって滑らかに連なるとともに平面視で機体前方側に凹入した湾曲状態の滑らかな湾曲面になるように固定ハンドル１６を形成することにより、固定ハンドル１６の操向レバー１４が位置する方の一端側での機体前後方向幅Ｗ１を、他端側での機体前後方向幅Ｗ２より大にしてある。
【００２１】
つまり、操向レバー１４を操作して機体の操向操作を行なうようにしてある。すなわち、操向レバー１４を中立位置から機体左側や右側に揺動操作することにより、左右のクローラ走行装置１の間に駆動速度差が発生して機体が操向レバー１４の操作方向に等しい左向きや右向きに走行し、操向レバー１４を中立位置に操作することにより、左右のクローラ走行装置１の駆動速度が等しくなって機体が直進走行する。このとき、操向レバー１４を支持する手の手首付近を固定ハンドル１６の一端側に載せて支持させることにより、身体が揺れ動いてもその影響で操向レバー１４が動いてしまうことを回避しやすくなるようにしてある。固定ハンドル１６を握って身体の安定化を図るなど固定ハンドル１６を使用する場合、固定ハンドル１６の操向レバー１４から離れた他端側を使用することにより、この他端側の機体前後方向幅Ｗ２が操向レバー１４に近い一端側のそれよりも小さくて握りやすくなっている。
【００２２】
図３（ハ）に示すように、操縦パネル１３は、樹脂材のブロー成型によって内部１３ｄが中空の構造の樹脂パネルに作製してある。前記固定ハンドル１６も、左右一対の支柱１５も、操縦パネル１３をブロー成型する際に同時にブロー成型することにより、操縦パネル１３との一体部品で、かつ、固定ハンドル１６の内部１６ｃも、支柱１５の内部１５ａも中空の構造の樹脂ハンドルや樹脂支柱に作製してある。
【００２３】
図４に示すように、操縦パネル１３の上端部の裏面側に、金属パイプで成る支持フレーム２０が入り込む凹部１３ａを設け、この凹部１３ａや前記支持フレーム２０を覆う板金製の裏カバー２１を取り付けてある。図３（イ）に示すように、操縦パネル１３の表面側に、操向レバー１４の操作位置を検出する検出スイッチ（図示せず）などに接続している電気ケーブルなどを収容する凹部１３ｂを設け、この凹部１３ｂを図４の如き樹脂製の化粧カバー２２によって覆うように構成してある。
【００２４】
図４（イ）に示すように、前記裏カバー２１の一端部に、裏カバー本体に対してこれから機体前方向きに延出する状態に折れ曲がっている部分２１ａを備え、この折れ曲がり部分２１ａに、サイドミラー２３を支持させるミラー支持を備えてある。操縦パネル１４に取り付けた前記裏カバー２１の前記折れ曲がり部分２１ａを前方から見えないように入り込ませる凹入部１３ｃを、操縦パネル１４の前記支柱１５の基部に設けてある。
【００２５】
〔別実施形態〕
稲や麦を収穫対象とする他、玉ねぎとか人参など各種の作物を収穫対象とする収穫機に装備される運転部にも本発明は適用できる。従って、これらコンバインなどを総称して作業機と呼称する。
【図面の簡単な説明】
【図１】コンバイン全体の側面図
【図２】運転部の平面図
【図３】（イ）は、操縦パネルの前面側から見た斜視図、（ロ）は、操縦パネルの裏面側から見た斜視図、（ハ）は、操縦パネルの縦断側面
【図４】（イ）は、操縦パネルの裏カバー取り付け部を示す斜視図、（イ）は、操縦パネルの裏カバー取り付け状態を示す斜視図、
【図５】操縦パネルの化粧カバー取り付け状態を示す正面図
【符号の説明】
１４　　　　　操向レバー
１６　　　　　固定ハンドル
１６ａ　　　　固定ハンドルの前向き側面
１６ｂ　　　　固定ハンドルの後向き側面
Ｗ１　　　　　固定ハンドルの一端側での機体前後方向幅
Ｗ２　　　　　固定ハンドルの他端側での機体前後方向幅
【図１】
2004033056.tif 000003
【図２】
2004033056.tif 000004
【図３】
2004033056.tif 000005
【図４】
2004033056.tif 000006
【図５】
2004033056.tif 000007